(57)【要約】【課題】複数機種のプログラムを搭載した制御部を実装した基板を複数機種間で共用可能とすることにより、生産性の高い炊飯器を提供すること。【解決手段】複数機種の制御プログラムを有する制御部８と、制御部８が実行するプログラムを選択する機種選択部１１と、機種選択部１１から出力を検出するために制御部８に具備された入力ポートを用いた第１の検出部１２とを備え、制御部８を操作基板６に配置し機種選択部１１を加熱基板７に配置することにより、操作基板６に接続する加熱基板７の組み合わせにより複数機種に対応できる構成とする。【選択図】図１
2011104262.tif 000002
【特許請求の範囲】
【請求項１】
複数機種の制御プログラムを有する制御部と、前記制御部が実行するプログラムを選択する機種選択部と、前記機種選択部から出力を検出するために前記制御部に具備された入力ポートを用いた検出部とを備え、前記制御部が実装される基板と異なる基板に前記機種選択部を実装した炊飯器。
【請求項２】
前記検出部は前記制御部に具備されたＡＤ入力ポートである請求項１記載の炊飯器。
【請求項３】
電磁誘導加熱方式により加熱する加熱部を備え、前記制御部はプログラム選択判定を少なくとも前記加熱部が停止しているときに行うようにした請求項１または２に記載の炊飯器。
【請求項４】
前記制御部はプログラム選択判定を少なくともリセット解除時に行うようにした請求項１または２に記載の炊飯器。
【請求項５】
前記制御部はプログラム選択判定を少なくとも停電復帰時に行うようにした請求項１または２に記載の炊飯器。
【請求項６】
前記制御部はプログラム選択判定を少なくとも炊飯開始時に行うようにした請求項１または２に記載の炊飯器。
【請求項７】
前記制御部はプログラム選択判定を所定の周期で行うようにした請求項１または２に記載の炊飯器。
【発明の詳細な説明】
【技術分野】
【０００１】
本発明は複数機種のプログラムを搭載した制御部を有する炊飯器に関するものである。
【背景技術】
【０００２】
従来、この種の炊飯器は図４に示すように構成していた（例えば、特許文献１参照）。以下、その構成について説明する。
【０００３】
図４は特許文献１に記載された従来の炊飯器の回路図を示すものである。図４に示すように、ヒータ１３３、１３４は、加熱手段を構成し、このヒータ１３３、１３４への通電を、リレー駆動手段１２９、１３０により駆動されるリレー１３１、１３２により制御している。制御手段１２０は、複数機種のプログラムを有し、キー入力手段１２５、１２６と、機器の情報を表示する表示手段１２８とを接続し、リレー駆動手段１２９、１３０を制御するよう構成している。 
【０００４】
プログラム切換手段１２１、１２２、１２３は、スイッチまたはジャンパー線により構成して制御手段１２０に接続し、プログラム切換手段１２１、１２２、１２３からの情報をプログラム切換検出手段Ｐ０、Ｐ１、Ｐ２より検出している。
【先行技術文献】
【特許文献】
【０００５】
【特許文献１】特開平２−１９３６１２号公報
【発明の概要】
【発明が解決しようとする課題】
【０００６】
しかしながら、前記従来の構成では、プログラム切換手段１２１、１２２、１２３が制御手段１２０を実装する基板上に設けられるため、複数機種のプログラムを有する制御手段１２０を実装した基板は、プログラム切換手段１２１、１２２、１２３の設定された機種の専用基板となる。このため同じ制御手段１２０が実装された基板であっても異なる機種間で共用することができない。したがって制御手段１２０が実装される基板は機種毎に生産・管理しなければならず、生産性ならびにコスト面においての問題を有していた。
【０００７】
本発明は、前記従来の課題を解決するもので、複数機種のプログラムを搭載した制御部を実装した基板を複数機種間で共用可能とすることにより、生産性の高い炊飯器を提供することを目的とする。
【課題を解決するための手段】
【０００８】
前記従来の課題を解決するために、本発明の炊飯器は、複数機種の制御プログラムを有する制御部と、前記制御部が実行するプログラムを選択する機種選択部と、前記機種選択部から出力を検出するために前記制御部に具備された入力ポートを用いた検出部とを備え、前記制御部が実装される基板と異なる基板に前記機種選択部を実装したものである。
【０００９】
これによって、制御部が実装されている基板と機種選択部が実装されている基板との組合せにより制御部は機種選択することが可能となるので、複数機種のプログラムを搭載した制御部を実装した基板は複数機種間で共用することができる。このことにより、複数機種のプログラムを搭載した制御部と機種選択部が同じ基板に実装されているがために機種毎の専用基板となる場合に比べ生産数量が増加し、このことにより低コスト化を図ることができる。さらに制御部を実装した基板は機種間で共用することができるので機種毎に存
在した基板の管理工数を削減することができ、生産性を高めることができる。
【発明の効果】
【００１０】
本発明の炊飯器は、複数機種のプログラムを搭載した制御部を実装し複数機種間で共用できる基板と機種選択部を備え機種毎に専用となる基板との組合せにより構成することで、生産性が高い炊飯器を提供することできる。
【図面の簡単な説明】
【００１１】
【図１】本発明の実施の形態１，２における炊飯器の断面図
【図２】本発明の実施の形態１における炊飯器の一部ブロック化した要部回路図
【図３】本発明の実施の形態２における炊飯器の一部ブロック化した要部回路図
【図４】従来の炊飯器の一部ブロック化した要部回路図
【発明を実施するための形態】
【００１２】
第１の発明は、複数機種の制御プログラムを有する制御部と、前記制御部が実行するプログラムを選択する機種選択部と、前記機種選択部から出力を検出するために前記制御部に具備された入力ポートを用いた検出部とを備え、前記制御部が実装される基板と異なる基板に前記機種選択部を実装することにより、前記制御部が実装されている基板と前記機種選択部が実装されている基板との組合せにより前記制御部は機種選択することが可能となるので、複数機種のプログラムを搭載した制御部を実装した基板は複数機種間で共用することができる。このことにより、複数機種のプログラムを搭載した制御部と機種選択部が同じ基板に実装されているがために機種毎の専用基板となる場合に比べ生産数量が増加するので低コスト化を図ることができる。さらに制御部を実装した基板は機種間で共用することができるので機種毎に存在した基板の管理工数を削減することができ、生産性を高めることができる。
【００１３】
第２の発明は、特に、第１の発明の検出部を制御部に具備されたＡＤ入力ポートを用いて構成することにより、１入力ポートあたり３機種以上の機種判定が可能となる。
【００１４】
第３の発明は、特に、第１または第２の発明において、制御部がプログラム選択判定を少なくとも電磁誘導加熱方式により加熱する加熱部が停止しているときに行うようにしたことにより、検出部は加熱部動作中に発生するノイズの影響を受けないので、検出部が加熱部からのノイズによる誤動作を防止することができる。
【００１５】
第４の発明は、特に、第１または第２の発明において、制御部がプログラム選択判定を少なくともリセット解除時に行うようにしたことにより、リセット解除直後からから機種設定に応じた動作をすることができる。
【００１６】
第５の発明は、特に、第１または第２の発明において、制御部がプログラム選択判定を少なくとも停電復帰時に行うようにしたことにより、機器が使用可能となる度に機種判定をすることができるので、機種判別の信頼性を高めることができる。 
【００１７】
第６の発明は、特に、第１または第２の発明において、制御部がプログラム選択判定を少なくとも炊飯開始時に行うようにしたことにより、使用者が炊飯を開始する度に機種判別をすることができ、より信頼性の高い機種判別を行うことが可能となる。
【００１８】
第７の発明は、特に、第１または第２の発明において、制御部がプログラム選択判定を所定の周期で行うようにしたことにより、何らかの原因で機種認識が変化しても所定の周期で正しい機種設定に戻すことが可能となり信頼性を高めることができる。
【００１９】
以下、本発明の実施の形態について、図面を参照しながら説明する。なお、この実施の形態によって本発明が限定されるものではない。
【００２０】
（実施の形態１）
図１は本発明の実施の形態１における炊飯器の断面図を示すものである。なお、図面を簡潔にするために、電気的接続のためのリード線等は省略している。
【００２１】
図１において、炊飯器本体１は、内部に米と水を入れる鍋２を着脱自在に収納可能な鍋収納部３を備え、炊飯器本体１の上面開口部には、鍋２を着脱可能なように開閉自在な外蓋４を備えている。鍋２は磁束を通す金属を複数用いた積層体で構成されており、上端開口部に外側にせり出したフランジを有し、このフランジを鍋収納部３の上端から浮き上がった状態で載置することにより、鍋収納部３に着脱自在に収納される。加熱部５の一構成要素である加熱コイル５ａは、鍋収納部３の外側には鍋２の底面部に対向するように渦巻状に巻かれたコイルで、鍋２底部の中心略真下に中心を有するよう配置されている。鍋２と加熱コイル５ａとは磁気的に結合しており、鍋２は加熱コイル５ａから発生する高周波磁界により誘導加熱される。外蓋４の内部には操作基板６を配置し、炊飯器本体１の下方部には加熱基板７を配置している。この操作基板６と加熱基板７とは着脱可能な接続部（図示せず）を介して電気的に接続されている。
【００２２】
操作基板６上には、複数機種の制御プログラムを搭載したマイクロコンピュータなどからなる制御部８を配置するとともに炊飯器を操作するための操作部９や炊飯器の状態を表示するための表示部１０などを配置している。
【００２３】
一方、加熱基板７上には、加熱部５の一構成要素であるインバータ回路５ｂが配置されている。このインバータ回路５ｂは共振用コンデンサ５ｃやＩＧＢＴなどの半導体スイッチング素子５ｄや半導体スイッチング素子５ｄの駆動回路部５ｅなどで構成されており、制御部８からの駆動信号に基づき加熱コイル５ａに高周波電流を供給するものである。さらに加熱基板７上にはインバータ回路５ｂや制御部８が搭載している複数機種の制御プログラムの中から実行すべきプログラムを選択するための機種選択部１１などを配置している。この機種選択部１１は制御部８に具備された第１の検出部１２と接続されている。第１の検出部１２は入力電圧に応じてＨｉとＬｏとの２値を得る入力ポートＰ０である。
【００２４】
図２は、本発明の実施の形態１における炊飯器の一部ブロック化した要部回路図を示すものである。
【００２５】
機種選択部１１は、抵抗器１１ａと抵抗器１１ｂにより構成しており、抵抗器１１ａと抵抗器１１ｂとは互いに接続するとともに、抵抗器１１ａの一端はＤＣ電源（図示せず）に接続し、抵抗器１１ａの一端はＧＮＤに接続している。抵抗器１１ａと抵抗器１１ｂとの接続点は第１の検出部１２に接続されている。制御部８には機種Ａと機種Ｂの２つの機種のプログラムが搭載されており、制御部８に機種Ａのプログラムを選択させる場合、機種選択部１１は抵抗器１１ａのみとする。このことにより第１の検出部１２である入力ポートはＨｉとなるので、制御部８は機種Ａのプログラムを選択し、機種Ａのプログラムに基づいて加熱部５を駆動させる。制御部８に機種Ｂのプログラムを選択させる場合、機種選択部１１は抵抗器１１ｂのみとする。このことにより第１の検出部１２である入力ポートはＬｏとなるので、制御部８は機種Ｂのプログラムを選択し、機種Ｂのプログラムに基づいて加熱部５を駆動させる。
【００２６】
機種Ａと機種Ｂとの相違点としては、例えば炊飯容量、炊飯コース、鍋２の形状や鍋２に用いられる材料、消費電力などがある。炊飯容量が違う場合おいては、少なくとも鍋２の内容量が異なってくる。鍋２の内容量が異なると内容量に応じた火力（消費電力）が必
要になるとともに炊飯プログラムについても異なったシーケンスで炊飯する必要が生じる。このため炊飯容量に応じたプログラムを制御部８に搭載し、これを炊飯容量にあわせて切り換えることで美味しいご飯が炊ける炊飯器を実現している。また、炊飯コースが異なる場合においては、ユーザが選択できる炊飯コースに違いを設けたり、あるいは機種毎にユーザが選択できる炊飯コース数に違いを設けたりしている。このため複数機種のプログラムを搭載した制御部８は機種選択を行った上で動作する必要がある。鍋２の形状や鍋２に用いられる材料が異なる場合においては、鍋２と加熱コイル５ａとの磁気的な結合状態に違いが生じるので、インバータ回路５ｂを構成する部品（共振用コンデンサ５ｃの静電容量や半導体スイッチング素子５ｄの耐圧など）を鍋２の形状や材料に応じて変更している。このため、制御部８は機種選択を行った上でインバータ回路５ｂに合わせた駆動信号を出力する必要がある。
【００２７】
以上のように、本実施の形態においては、複数機種の制御プログラムを有する制御部８と、制御部８が実行するプログラムを選択する機種選択部１１と、機種選択部１１から出力を検出するために制御部８に具備された入力ポートを用いた第１の検出部１２とを備え、制御部８と機種選択部１１とが組合せ可能な操作基板６と加熱基板７にそれぞれ実装する構成とすることにより、制御部８が実装される操作基板６を複数機種間で共用することができるので、操作基板６が機種毎の専用基板である場合に比べ制御部８が実装される操作基板６の生産数量が増加し、このことにより低コスト化を図ることができる。さらに制御部８が実装される操作基板６を機種間で共用することができるので機種毎に存在した操作基板の管理工数を削減することができ、生産性を高めることができる。
【００２８】
さらに、本実施の形態における制御部８の行うプログラム選択は、加熱部５が停止しているとき、あるいはリセット解除時、あるいは停電復帰時、あるいは待機状態から炊飯や保温など加熱部５が動作開始するとき、あるいは例えば所定の周期で行ってもよく、またこれらを組み合わせたタイミングで実施してよい。
【００２９】
加熱部５が停止しているときに制御部８がプログラム選択を行うようにすれば、第１の検出部１２は加熱部５動作中に発生するノイズの影響を受けないので、第１の検出部１２が加熱部５からのノイズによる誤動作することを防止することができる。
【００３０】
また、リセット解除時に制御部８がプログラム選択を行うようにすれば、制御部８はリセット解除直後からから機種設定に応じた動作をすることができる。
また、停電復帰時に制御部８がプログラム選択を行うようにすれば、停電復帰により機器が使用可能となる度に機種判定をすることができるので、機種判別の信頼性を高めることができる。
【００３１】
また、待機状態から炊飯状態や保温状態となり加熱部５が動作開始するときに制御部８がプログラム選択を行うようにすれば、機器が動作開始する度に機種判別をすることができ、より信頼性の高い機種判別を行うことが可能となる。
【００３２】
また、所定の周期で制御部８がプログラム選択を行うようにすれば、何らかの原因で機種認識が変化しても所定の周期で正しい機種設定に戻すことが可能となり信頼性を高めることができる。
【００３３】
なお、本実施の形態における炊飯器の基板を操作基板６と加熱基板７との２種類で構成したが、特にこの限りでなくともよく、３種類以上の基板で構成してもよい。
【００３４】
また、本実施の形態における機種選択部１１を加熱基板７上に配置したが、特にこの限りでなくともよく、機種選択部１１を制御部と組合せ可能な異なる基板に実装すればよい。
【００３５】
また、本実施の形態における操作基板６を外蓋４の内部に配置したが、特にこの限りでなくともよく、例えば操作基板６を炊飯器本体１の下方部に配置してもよい。
【００３６】
また、本実施の形態における機種選択部１１は、固定抵抗器により構成したが、特にこの限りでなくともよく、スイッチまたはジャンパー線で構成してもよい。
【００３７】
また、本実施の形態においては機種選択部１１と第１の検出部１２を１組での入出力で構成したため、制御部８は２機種間での選択となったが、特にこの限りでなくともよく、機種選択部１１と第１の検出部１２を複数組の入出力で構成し、２機種以上の機種選択ができる構成としてもよい。
【００３８】
（実施の形態２）
図１は本発明の実施の形態２における炊飯器の断面図を示すものである。なお、図面を簡潔にするために、電気的接続のためのリード線等は省略している。
【００３９】
図３は、本発明の実施の形態２における炊飯器の一部ブロック化した要部回路図を示すものである。
【００４０】
図３において、第２の検出部１３は制御部８に具備されたアナログ−デジタル変換入力ポート（以下、ＡＤ入力ポートという）ＡＤ０を用いたものである。また、基準電圧部１４は制御部８に具備され第２の検出部１３のアナログ−デジタル変換用基準電圧を入力するポートである。
【００４１】
他の構成は上記実施の形態１と同じであり、同一符号を付して説明を省略する。
【００４２】
機種選択部１１は、抵抗器１１ａと抵抗器１１ｂにより構成しており、抵抗器１１ａと抵抗器１１ｂとは互いに接続するとともに、抵抗器１１ａの一端は基準電圧部１４と同じＤＣ（図示せず）に接続し、抵抗器１１ａの一端はＧＮＤに接続している。抵抗器１１ａと抵抗器１１ｂとの接続点は第２の検出部１３に接続されている。制御部８には機種Ａと機種Ｂと機種Ｃの３つの機種のプログラムが搭載されており、制御部８に機種Ａのプログラムを選択させる場合、第２の検出部１３への入力電圧が基準電圧部１４の２／３以上の電圧となるように抵抗器１１ａと抵抗器１１ｂの抵抗値を選定する。制御部８に機種Ｂのプログラムを選択させる場合、第２の検出部１３への入力電圧が基準電圧部１４の１／３以上２／３未満の電圧となるように抵抗器１１ａと抵抗器１１ｂの抵抗値を選定する。制御部８に機種Ｃのプログラムを選択させる場合、第２の検出部１３への入力電圧が基準電圧部１４の１／３未満の電圧となるように抵抗器１１ａと抵抗器１１ｂの抵抗値を選定する。制御部８は第２の検出部１３の入力電圧に応じて機種を選定し、選定した機種のプログラムに基づいて加熱部５を駆動させる。
【００４３】
機種間での相違点としては、例えば炊飯容量、炊飯コース、鍋２の形状や鍋２に用いられる材料、消費電力などがある。炊飯容量が違う場合おいては、少なくとも鍋２の内容量が異なってくる。鍋２の内容量が異なると内容量に応じた火力（消費電力）が必要になるとともに炊飯プログラムについても異なったシーケンスで炊飯する必要が生じる。このため炊飯容量に応じたプログラムを制御部８に搭載し、これを炊飯容量にあわせて切り換えることで美味しいご飯が炊ける炊飯器を実現している。また、炊飯コースが異なる場合においては、ユーザが選択できる炊飯コースに違いを設けたり、あるいは機種毎にユーザが選択できる炊飯コース数に違いを設けたりしている。このため複数機種のプログラムを搭載した制御部８は機種選択を行った上で動作する必要がある。鍋２の形状や鍋２に用いら
れる材料が異なる場合においては、鍋２と加熱コイル５ａとの磁気的な結合状態に違いが生じるので、インバータ回路５ｂを構成する部品（例えば共振用コンデンサ５ｃの静電容量や半導体スイッチング素子５ｄの耐圧など）を鍋２の形状や材料に応じて変更している。このため、制御部８は機種選択を行った上でインバータ回路５ｂに合わせた駆動信号を出力する必要がある。
【００４４】
以上のように、本実施の形態においては、複数機種の制御プログラムを有する制御部８と、制御部８が実行するプログラムを選択する機種選択部１１と、機種選択部１１から出力を検出するために制御部８に具備されたＡＤ入力ポートを用いた第２の検出部１３とを備え、制御部８と機種選択部１１とが組合せ可能な操作基板６と加熱基板７にそれぞれ実装する構成とすることにより、制御部８が実装される操作基板６を複数機種間で共用することができるので、操作基板６が機種毎の専用基板である場合に比べ制御部８が実装される操作基板６の生産数量が増加し、このことにより低コスト化を図ることができる。さらに制御部８が実装される操作基板６を機種間で共用することができるので機種毎に存在した操作基板の管理工数を削減することができ、生産性を高めることができる。
【００４５】
さらに、本実施の形態における制御部８の行うプログラム選択は、加熱部５が停止しているとき、あるいはリセット解除時、あるいは停電復帰時、あるいは待機状態から炊飯や保温など加熱部５が動作開始するとき、あるいは例えば所定の周期で行ってもよく、またこれらを組み合わせたタイミングで実施してよい。
【００４６】
加熱部５が停止しているときに制御部８がプログラム選択を行うようにすれば、第１の検出部１２は加熱部５動作中に発生するノイズの影響を受けないので、第１の検出部１２が加熱部５からのノイズによる誤動作することを防止することができる。
【００４７】
また、リセット解除時に制御部８がプログラム選択を行うようにすれば、制御部８はリセット解除直後からから機種設定に応じた動作をすることができる。
【００４８】
また、停電復帰時に制御部８がプログラム選択を行うようにすれば、停電復帰により機器が使用可能となる度に機種判定をすることができるので、機種判別の信頼性を高めることができる。
【００４９】
また、待機状態から炊飯状態や保温状態となり加熱部５が動作開始するときに制御部８がプログラム選択を行うようにすれば、機器が動作開始する度に機種判別をすることができ、より信頼性の高い機種判別を行うことが可能となる。
【００５０】
また、所定の周期で制御部８がプログラム選択を行うようにすれば、何らかの原因で機種認識が変化しても所定の周期で正しい機種設定に戻すことが可能となり信頼性を高めることができる。
【００５１】
なお、本実施の形態における炊飯器の基板を操作基板６と加熱基板７との２種類で構成したが、特にこの限りでなくともよく、３種類以上の基板で構成してもよい。
【００５２】
また、本実施の形態における機種選択部１１を加熱基板7上に配置したが、特にこの限りでなくともよく、機種選択部１１を制御部と組合せ可能な異なる基板に実装すればよい。
【００５３】
また、本実施の形態における操作基板６を外蓋４の内部に配置したが、特にこの限りでなくともよく、例えば操作基板６を炊飯器本体１の下方部に配置してもよい。
【００５４】
また、本実施の形態における機種選択部１１は、固定抵抗器のみにより構成したが、特にこの限りでなくともよく、スイッチまたはジャンパー線を含めて構成してもよい。
【００５５】
また、本実施の形態においては機種選択部１１と第２の検出部１３とを１組の入出力で構成したが、特にこの限りでなくともよく、入出力の構成を複数組としてもよい。
【００５６】
また、第２の検出部１３で選択できる機種数を３機種としたが、特にこの限りでなくともよい。
【産業上の利用可能性】
【００５７】
以上のように、本発明にかかる炊飯器は、複数の基板で構成される炊飯器における生産性を高めることが可能であり、炊飯器のみならず、自動製パン機など他の熱調理機器にも適用できる。
【符号の説明】
【００５８】
１  炊飯器本体
２  鍋
３  鍋収納部
４  外蓋
５  加熱部
５ａ  加熱コイル
５ｂ  インバータ回路
５ｃ  共振用コンデンサ
５ｄ  半導体スイッチング素子
６ｅ  駆動回路部
６  操作基板
７  加熱基板
８  制御部
９  操作部
１０  表示部
１１  機種選択部
１２  第１の検出部
１３  第２の検出部
【図１】
2011104262.tif 000003
【図２】
2011104262.tif 000004
【図３】
2011104262.tif 000005
【図４】
2011104262.tif 000006